(57)【要約】【課題】改善された精度をもつ干渉計システムを提供する。【解決手段】ヘテロダイン干渉計と、処理システムと、を備える干渉計システムが提供される。ヘテロダイン干渉計は、参照信号および測定信号を提供するように構成されている。参照信号は、参照位相を有する。測定信号は、測定位相および振幅を有する。処理システムは、参照位相、測定位相、および振幅に基づいてヘテロダイン干渉計の周期誤差を決定するように構成されている。【選択図】図２
2019527357.tif 000002
【特許請求の範囲】
【請求項１】
ヘテロダイン干渉計と、
処理システムと、を備え、
前記ヘテロダイン干渉計は、参照信号および測定信号を提供するように構成され、
前記参照信号は、参照位相を有し、
前記測定信号は、測定位相および振幅を有し、
前記処理システムは、前記参照位相、前記測定位相、および前記振幅に基づいて前記ヘテロダイン干渉計の周期誤差を決定するように構成されている干渉計システム。
【請求項２】
前記処理システムは、前記参照位相、前記測定位相、および前記振幅に基づいて２つのホモダイン信号を生成するように構成され、前記処理システムは、前記２つのホモダイン信号に基づいて前記周期誤差を決定するように構成されている請求項１に記載の干渉計。
【請求項３】
前記処理システムは、復調信号および更なる復調信号を前記参照位相に基づいて生成するように構成され、前記更なる復調信号は、前記復調信号とは位相がずれており、前記処理システムは、前記２つのホモダイン信号の一方を前記復調信号に基づいて生成し、前記２つのホモダイン信号の他方を前記更なる復調信号に基づいて生成するように構成されている請求項２に記載の干渉計。
【請求項４】
前記処理システムは、前記測定信号に前記復調信号を乗じることによって前記２つのホモダイン信号の一方を生成し、前記測定信号に前記更なる復調信号を乗じることによって前記２つのホモダイン信号の他方を生成するように構成されている請求項３に記載の干渉計システム。
【請求項５】
前記処理システムは、ある期間において前記測定信号の１セットの測定サンプルおよび前記参照信号の１セットの参照サンプルを収集するように構成され、
前記処理システムは、前記１セットの測定サンプルおよび前記１セットの参照サンプルに基づいて前記周期誤差を決定するように構成されている請求項１から３のいずれかに記載の干渉計システム。
【請求項６】
干渉計と、
処理システムと、を備え、
前記干渉計は、ターゲットへの距離を示す第１距離信号を提供するように構成され、
前記干渉計は、前記ターゲットへの前記距離を示す第２距離信号を提供するように構成され、
前記第１距離信号は、第１波長をもつ放射ビームに基づき、
前記第２距離信号は、第２波長をもつ放射ビームに基づき、
前記第１波長は、前記第２波長と異なり、
前記処理システムは、前記第１距離信号により示される距離と前記第２距離信号により示される距離との差を決定するように構成されている干渉計システム。
【請求項７】
前記処理システムは、前記差に基づいて前記干渉計の周期誤差を決定するように構成されている請求項６に記載の干渉計システム。
【請求項８】
前記処理システムは、前記差に基づいて第１距離信号と前記第２距離信号の少なくとも１つを補正するように構成されている請求項６または７に記載の干渉計システム。
【請求項９】
前記処理システムは、ある期間において第１距離信号の１セットの第１サンプルおよび前記第２距離信号の１セットの第２サンプルを収集するように構成され、
前記処理システムは、前記１セットの第１サンプルおよび前記１セットの第２サンプルに基づいて前記差を決定するように構成されている請求項６から８のいずれかに記載の干渉計システム。
【請求項１０】
前記処理システムは、前記第１距離信号と前記第２距離信号の結合に基づいて合成波長を生成するように構成され、前記１セットの第１サンプルおよび前記１セットの第２サンプルは、距離変化を示し、前記距離変化は、少なくとも前記合成波長の長さを有する請求項９に記載の干渉計システム。
【請求項１１】
請求項１から１０のいずれかに記載の干渉計システムに使用される処理システム。
【請求項１２】
光学測定システムの校正のための方法であって、
−  測定方向に沿ってターゲットの第１位置を測定するステップと、
−  前記ターゲットが前記第１位置にあるときに前記光学測定システムの第１周期誤差を決定するステップと、
−  前記測定方向に沿って前記ターゲットの第２位置を測定するステップと、
−  前記ターゲットが前記第２位置にあるときに前記光学測定システムの第２周期誤差を決定するステップと、を備え、前記第２位置は、前記測定方向以外の方向において前記第１位置から距離を有しており、
−  前記第１周期誤差に基づいて第１補正値を保存するステップと、
−  前記第２周期誤差に基づいて第２補正値を保存するステップと、を備える方法。
【請求項１３】
−  前記ターゲットが前記第１位置またはその近傍にあるとき前記第１補正値により前記光学測定システムの測定値を補正し、
−  前記ターゲットが前記第２位置またはその近傍にあるとき前記第２補正値により前記光学測定システムの更なる測定値を補正することを備える請求項１２に記載の方法。
【請求項１４】
−  前記ターゲットが前記第１位置にありかつ前記ターゲットが第１角度姿勢にあるときに前記光学測定システムの前記第１周期誤差を決定し、
−  前記ターゲットが前記第１位置にありかつ前記ターゲットが前記第２角度姿勢とは異なる第２角度姿勢にあるときに前記光学測定システムの更なる第１周期誤差を決定し、
−  前記更なる第１周期誤差に基づいて更なる第１補正値を保存し、
−  前記ターゲットが前記第１位置またはその近傍にあり前記第１角度姿勢を有するとき前記第１補正値により前記光学測定システムの測定値を補正し、
−  前記ターゲットが前記第１位置またはその近傍にあり前記第２角度姿勢を有するとき前記更なる第１補正値により前記光学測定システムの測定値を補正することを備える請求項１２または１３に記載の方法。
【請求項１５】
請求項１２から１４のいずれかに記載の方法を実行するように構成されている処理システム。
【発明の詳細な説明】
【技術分野】
【０００１】
関連出願の相互参照
本出願は、２０１６年７月１３日に出願された欧州出願第１６１７９１８９．２号の優先権を主張し、それらの全体が本明細書に援用される。
【０００２】
本発明は、干渉計システム、更なる干渉計システム、光学測定システムの校正のための方法および処理システムに関する。
【背景技術】
【０００３】
リソグラフィ装置は、集積回路（ＩＣ）の製造に使用可能な装置である。この場合、マスクまたはレチクルとも称されるパターニングデバイスが、ＩＣの個別の層に形成されるべき回路パターンを生成するために使用されうる。このパターンが放射ビームによって投影システムを介してシリコンウェーハなどの基板の目標部分に転写されうる。パターン転写は典型的には基板に設けられた放射感応性材料層への結像による。一般に一枚の基板には網状に隣接する一群の目標部分が含まれ、これらは連続的にパターン形成される。公知のリソグラフィ装置には、目標部分にパターン全体が一度に露光されるようにして各目標部分が照射を受ける、いわゆるステッパが含まれる。また、公知のリソグラフィ装置には、所与の方向に放射ビームによりパターンを走査するとともに基板をこの方向と平行または逆平行に走査するようにして各目標部分が照射を受ける、いわゆるスキャナが含まれる。
【０００４】
典型的にリソグラフィ装置には、干渉計システムのような光学位置測定システムが設けられている。干渉計システムは、基板を保持するテーブルや投影システムの光学構成部品などの物体の位置を正確に決定するように構成されている。こうした物体の位置は正確に測定される必要があり、それにより制御システムは、物体を所望の位置へと正確に移動させることができる。干渉計の測定誤差は、制御システムが物体を所望の位置からずれた場所に移動させる原因となる。こうしたオフセットにより、パターンが基板上に適正に投影されないかもしれない。
【発明の概要】
【０００５】
公知の干渉計システムの不利な点は、いわゆる周期誤差に悩まされることにある。干渉計システムは、物体の位置に基づき反復する信号を提供する。周期誤差は、この反復的な信号の誤差であり、当該信号の位相に依存するものである。
【０００６】
周期誤差を決定するために、次の２つの公知の方法が使用されうる。第１の方法は、物体をある特定の速度である特定の範囲にわたって移動させる必要がある。第２の方法は、物体をある周波数およびある振幅で振動させる必要がある。
【０００７】
第１の方法には、比較的広い範囲にわたる滑らかな動きを要するというデメリットがある。この動きは物体に働く振動によって乱されるかもしれないし、また、物体の移動範囲を十分に長くできないかもしれない。第２の方法には、物体の動特性やサンプリング周波数に起因して、選択される周波数が制約されるというデメリットがある。そのため、物体を振動させるために最適な周波数より低いものを選ばなければならないかもしれない。
【０００８】
本発明のひとつの目的は、改善された精度をもつ干渉計システムを提供することにある。
【０００９】
本発明の第１の態様においては、請求項１に記載の干渉計システムが提供される。
【００１０】
本発明の第２の態様においては、請求項６に記載の干渉計システムが提供される。
【００１１】
本発明の第３の態様においては、請求項１２に記載の光学測定システムの校正のための方法が提供される。
本発明のいくつかの実施の形態が付属の概略的な図面を参照して以下に説明されるがこれらは例示に過ぎない。各図面において対応する参照符号は対応する部分を指し示す。
【図面の簡単な説明】
【００１２】
【図１】本発明に係るリソグラフィ装置を示す。
【図２】本発明に係る干渉計システムを示す。
【図３】本発明のある実施の形態に係る干渉計システムの処理システムを示す。
【図４】本発明の更なる実施の形態に係る干渉計システムの一部を示す。
【発明を実施するための形態】
【００１３】
図１は、照明システムＩＬ、支持構造ＭＴ、基板テーブルＷＴ、および投影システムＰＳを備えるリソグラフィ装置を概略的に示す。
【００１４】
照明システムＩＬは、放射ビームＢを調整するよう構成されている。照明システムＩＬは、放射の方向や形状の調整、または放射の制御のために、各種の光学素子、例えば屈折光学素子、反射光学素子、磁気的光学素子、電磁気的光学素子、静電的光学素子、またはその他の形式の光学素子、若しくはそれらの任意の組み合わせを含んでもよい。
【００１５】
照明システムＩＬは放射源ＳＯから放射ビームを受け取る。放射源ＳＯとリソグラフィ装置とは、例えば放射源ＳＯがエキシマレーザである場合には、別体であってもよい。この場合、放射源ＳＯはリソグラフィ装置の一部を構成しているとはみなされなく、放射ビームＢは、適当な方向変更用のミラー及び／またはビームエキスパンダを例えば含むビーム搬送系ＢＤを介して放射源ＳＯから照明システムＩＬへと受け渡される。放射源ＳＯが例えば水銀ランプである等の他の場合には、放射源ＳＯはリソグラフィ装置と一体の部分であってもよい。放射源ＳＯと照明システムＩＬとは、またビーム搬送系ＢＤが必要とされる場合にはこれも合わせて、放射システムと総称されてもよい。
【００１６】
照明システムＩＬは放射ビームの角強度分布を調整するよう構成されているアジャスタＡＤを含んでもよい。加えて照明システムＩＬは、インテグレータＩＮおよびコンデンサＣＯ等その他の各種構成要素を含んでもよい。照明システムＩＬはビーム断面における所望の均一性及び強度分布を得るべく放射ビームＢを調整するために使用されてもよい。
【００１７】
本書に使用される「放射ビーム」という用語は、紫外（ＵＶ）放射（例えば約３６５ｎｍ、２４８ｎｍ、１９３ｎｍ、１５７ｎｍ、または１２６ｎｍの波長を有する）及び極紫外（ＥＵＶ）放射（例えば５から２０ｎｍの範囲の波長を有する）を含むあらゆる種類の電磁放射、さらにはイオンビームまたは電子ビーム等の粒子ビームを包含する。
【００１８】
支持構造（例えばマスクテーブル）ＭＴは、パターニングデバイス（例えばマスクまたはレチクル）ＭＡを支持するためにある。支持構造ＭＴは、いくつかのパラメータに従ってパターニングデバイスＭＡを正確に位置決めするよう構成されている第１位置決めシステムＰＭに接続されている。
【００１９】
支持構造ＭＴは、パターニングデバイスＭＡを支持する（すなわち、パターニングデバイスの重量を支える）。支持構造ＭＴは、パターニングデバイスＭＡの向き、リソグラフィ装置の設計、および例えばパターニングデバイスＭＡが真空環境下で保持されるか否か等その他の条件に応じた方式でパターニングデバイスＭＡを保持する。支持構造ＭＴは、機械的固定、真空固定、静電固定、またはパターニングデバイスＭＡを保持するその他の固定技術を用いることができる。支持構造ＭＴは、例えばフレームまたはテーブルであってもよく、これは必要に応じて固定されまたは移動可能であってもよい。支持構造ＭＴは、パターニングデバイスＭＡが例えば投影システムＰＳに対して所望の位置にあることを保証してもよい。
【００２０】
本書で使用される「パターニングデバイス」という用語は、基板Ｗの目標部分Ｃにパターンを形成すべく放射ビームＢの断面にパターンを付与するために使用可能ないかなるデバイスをも指し示すよう広く解釈されるべきである。例えばパターンが位相シフトフィーチャあるいはいわゆるアシストフィーチャを含む場合のように、放射ビームＢに与えられるパターンは、基板Ｗの目標部分Ｃに所望されるパターンと厳密に一致していなくてもよい。一般には、放射ビームＢに付与されるパターンは、目標部分Ｃに形成される集積回路などのデバイスにおける特定の機能層に対応する。
【００２１】
パターニングデバイスＭＡは透過型であっても反射型であってもよい。パターニングデバイスＭＡの例としては、マスクやプログラマブルミラーアレイ、プログラマブルＬＣＤパネルがある。マスクはリソグラフィの分野では周知であり、バイナリマスクやレベンソン型位相シフトマスク、ハーフトーン型位相シフトマスク、更に各種のハイブリッド型マスクが含まれる。プログラマブルミラーアレイの一例としては、小型のミラーがマトリックス状に配列され、各ミラーが入射してくる放射ビームを異なる方向に反射するように個別に傾斜可能であるというものがある。これらの傾斜ミラーにより、マトリックス状ミラーで反射された放射ビームにパターンが付与されることになる。図示されるように、本装置は、透過性のマスクを用いる透過型のものである。
【００２２】
基板テーブル（例えばウェーハテーブル）ＷＴは、基板（例えば、レジストで被覆されたウェーハ）Ｗを保持するためにある。基板テーブルＷＴは、いくつかのパラメータに従って基板Ｗを正確に位置決めするよう構成されている第２位置決めシステムＰＷに接続されている。投影システムＰＳは、パターニングデバイスＭＡにより放射ビームＢに付与されたパターンを基板Ｗの目標部分Ｃに投影するよう構成されている。
【００２３】
本書で使用される「投影システム」という用語は、使用される露光放射に関して又は液浸液の使用または真空の使用等の他の要因に関して適切とされるいかなる投影システムＰＳをも包含するよう広く解釈されるべきであり、屈折光学系、反射光学系、反射屈折光学系、磁気的光学系、電磁気的光学系、静電的光学系、またはそれらの任意の組み合わせを含む。
【００２４】
放射ビームＢは、支持構造ＭＴに保持されるパターニングデバイスＭＡに入射して、パターニングデバイスＭＡによりパターン形成される。パターニングデバイスＭＡを横切った放射ビームＢは投影システムＰＳを通過する。投影システムＰＳは放射ビームＢを基板Ｗの目標部分Ｃに合焦する。第２位置決めシステムＰＷと位置センサＩＦ（例えば、干渉計デバイス、リニアエンコーダ、または静電容量センサ）により、例えば放射ビームＢの経路に異なる目標部分Ｃを位置決めするように、基板テーブルＷＴを正確に移動させることができる。同様に、第１位置決めシステムＰＭと他の位置センサ（図１には図示せず）は、放射ビームＢの経路に対してパターニングデバイスＭＡを正確に位置決めするために使用することができる。一般に支持構造ＭＴの移動は、ロングストロークモジュール及びショートストロークモジュールにより実現されうる。ロングストロークモジュールは、長い範囲にわたる投影システムＰＳに対するショートストロークモジュールの粗い位置決めを提供する。ショートストロークモジュールは、小さい範囲にわたるロングストロークモジュールに対するパターニングデバイスＭＡの精確な位置決めを提供する。同様に、基板テーブルＷＴの移動は、第２位置決めシステムＰＷの一部を構成するロングストロークモジュール及びショートストロークモジュールにより実現されうる。ステッパでは（スキャナとは異なり）、支持構造ＭＴはショートストロークのアクチュエータにのみ接続されているか、あるいは固定されていてもよい。
【００２５】
パターニングデバイスＭＡと基板Ｗとは、マスクアライメントマークＭ１、Ｍ２及び基板アライメントマークＰ１、Ｐ２を用いてアライメントされてもよい。図においては基板アライメントマークＰ１、Ｐ２が専用の目標部分を占拠しているが、アライメントマークは目標部分Ｃ間のスペースに配置されてもよい。同様に、パターニングデバイスＭＡに複数のダイが設けられる場合にはマスクアライメントマークＭ１、Ｍ２がダイ間に配置されてもよい。
【００２６】
リソグラフィ装置は、２以上の基板テーブルＷＴ及び／または２以上の支持構造ＭＴを有する形式のものであってもよい。少なくとも１つの基板テーブルＷＴに加えて、リソグラフィ装置は、測定テーブルを備えてもよく、これは、測定を実行するように構成されるが、基板を保持するようには構成されていない。
【００２７】
また、リソグラフィ装置は、基板Ｗの少なくとも一部分が例えば水などの比較的高い屈折率を有する液体で投影システムＰＳと基板Ｗとの間の空間を満たすよう覆われうる形式のものであってもよい。液浸液は、例えばパターニングデバイスＭＡと投影システムＰＳとの間などのリソグラフィ装置の他の空間に適用されてもよい。液浸技術は投影システムの開口数を増大させるために周知である。本書で使用される「液浸」との用語は、基板Ｗ等の構造体が液体に浸されなければならないことを意味するのではなく、液体が投影システムＰＳと基板Ｗとの間に露光中に配置されることを意味するにすぎない。
【００２８】
図示のリソグラフィ装置は次のモードのうち少なくとも１つのモードで使用可能でありうる。第１のモードは、ステップモードとも呼ばれ、放射ビームに付与されたパターンの全体が１回で目標部分Ｃに投影される間、支持構造ＭＴ及び基板テーブルＷＴは実質的に静止状態とされる。そして基板テーブルＷＴがＸ方向及び／またはＹ方向に移動されて、異なる目標部分Ｃが露光される。第２のモードは、スキャンモードとも呼ばれ、放射ビームに付与されたパターンが目標部分Ｃに投影される間、パターニングデバイスＭＴ及び基板テーブルＷＴは同期して走査される。パターニングデバイスＭＴに対する基板テーブルＷＴの速度及び方向は、投影システムＰＳの拡大（縮小）特性及び像反転特性により定められうる。第３のモードにおいては、パターニングデバイスＭＡがプログラマブルパターニングデバイスＭＡを保持して実質的に静止状態とし、放射ビームＢに付与されたパターンが目標部分Ｃに投影される間、基板テーブルＷＴが移動または走査される。このモードではパルス放射源が通例用いられ、プログラマブルパターニングデバイスは、基板テーブルＷＴの毎回の移動後、または走査中の連続放射パルス間に必要に応じて更新される。この動作モードは、上述の形式のプログラマブルミラーアレイ等のプログラマブルパターニングデバイスＭＡを利用するマスクレスリソグラフィに容易に適用することができる。
【００２９】
上記で記載した使用モードを組み合わせて動作させてもよいし、各モードに変更を加えて動作させてもよいし、さらに全く別の使用モードが用いられてもよい。
【００３０】
図２は、本発明のある実施の形態に係る干渉計システム２００を示す。干渉計システム２００は、干渉計２０５と処理システム２１０を備える。干渉計２０５は、レーザ源２２０、ビームスプリッタ２３０、ターゲット２４０、リファレンス２５０、および検出器ユニット２６０ａ、２６０ｂを備える。干渉計２０５は、ヘテロダイン干渉計である。レーザ源２２０は、ヘテロダインレーザ源であり、結合された２つの波長を有する放射ビームを提供する。それら波長の一方は、周波数ｆ１を有する。他方の波長は、周波数ｆ１＋ｄｆ１を有する。放射ビームの一部は検出器ユニット２６０ｂへと向けられる。放射ビームの残りの部分は、ビームスプリッタ２３０に向かう。放射ビームは、ビームスプリッタ２３０によって分割される。放射ビームの第１の部分は、ターゲット２４０へと伝搬し、反射されて、ビームスプリッタ２３０に戻る。放射ビームの第２の部分は、リファレンス２５０へと伝搬し、反射されて、ビームスプリッタ２３０に戻る。放射ビームはさらに、検出器ユニット２６０ａへと伝搬する。検出器ユニット２６０ａに入射する放射ビームは、ターゲット２４０の位置を示す。検出器ユニット２６０ａは、測定信号を処理システム２１０に提供するように構成されている測定用検出器である。検出器ユニット２６０ｂは、参照信号を処理システム２１０に提供するように構成されている参照用検出器である。ターゲット２４０の動きは、検出器ユニット２６０ａに入射する放射ビームに周波数変化を生じさせる。処理システム２１０は、検出器ユニット２６０ａに入射する放射ビームにおける周波数の変化に基づいてターゲット２４０の位置を導出するように構成されている。
【００３１】
図３は、処理システム２１０の詳細な概略図を与える。処理システム２１０は、検出器ユニット２６０ａ、２６０ｂからそれぞれ測定信号、参照信号を受信する入力部を備える。処理システム２１０は、参照信号の参照位相φｒｅｆを演算する位相演算部３１０を備える。参照信号は、サイン形状の信号であってもよい。位相演算部３１０は、位相、またはサイン形状の経時的な位相変化を決定してもよい。
【００３２】
ある実施の形態においては、干渉計システム２００は、検出器ユニット２６０ｂを有しない。それに代えて、処理システム２１０は、参照位相φｒｅｆを決定すべく、放射ビームを生成するＡＯＭ（音響光学変調器）の制御信号を使用してもよい。あるいは、レーザ源２２０を制御するための他の制御信号が、参照位相φｒｅｆを決定するために使用される。検出器ユニット２６０ｂは、レーザ源２２０から干渉計２０５へと放射ビームを伝搬させる光ファイバによって生じる放射ビームの周波数の変化を検出するために使用されてもよい。
【００３３】
処理システム２１０は、測定信号の測定位相φｍｅａを演算するように構成されている位相演算部３３０を備える。測定信号は、実質的にサイン形状であってもよい。位相演算部３３０は、位相、またはサイン形状の経時的な位相変化を決定してもよい。
【００３４】
処理システム２１０は、参照位相φｒｅｆおよび測定位相φｍｅａに基づいて２つのホモダイン信号Ｈ１、Ｈ２を生成するように構成されている。よって、干渉計システム２００はヘテロダイン干渉計２０５を使用するにもかかわらず、処理システム２１０は、２つのホモダイン信号Ｈ１、Ｈ２を出力する。干渉計システム２００の周期誤差は、ハイデマン補正のような、ホモダイン干渉計のための公知の補正方法を使用して決定され補正されうる。ホモダイン干渉計のための公知の補正方法には、ターゲット２４０が小さい動きのみを必要とするかまたは速度要件の無いものがある。
【００３５】
処理システム２１０は、測定信号の測定周波数を決定するように構成されている周波数生成器を備えてもよい。測定周波数は、レーザ源２２０によって提供される放射ビームの周波数に依存してもよい。ターゲット２４０が静止しているとき、測定周波数は、典型的に、周波数ｆ１とｄｆ１により決定されるスプリット周波数に等しい。スプリット周波数は、数ＭＨｚ、例えば１〜２０ＭＨｚの間、例えば、１０ＭＨｚ、１２ＭＨｚ、または１５ＭＨｚであってもよい。加えて、ターゲット２４０が移動するときには、ドップラー効果により、いわゆるドップラーシフトだけ測定周波数が変化する。処理システム２１０は、２つのホモダイン信号Ｈ１、Ｈ２を生成するために測定周波数を使用してもよい。２つのホモダイン信号Ｈ１、Ｈ２を生成するために測定周波数を使用することによって、２つのホモダイン信号Ｈ１、Ｈ２は、ターゲット２４０の速度から独立させることができる。
【００３６】
測定周波数は、周波数生成器によって生成されてもよい。周波数生成器は、検出器ユニット２６０ａからの測定信号を入力として使用する。これに代えてまたはこれとともに、ターゲット２４０についての速度情報が測定周波数を決定するために使用されてもよい。ある実施の形態においては、周波数生成器は、測定信号を入力として使用しないが、他の情報たとえばターゲット２４０の速度情報を入力として使用し、または、例えばドップラーシフトについての情報を使用する。
【００３７】
処理システム２１０は、復調信号Ｄ１を生成するために復調部３５０を備えてもよい。復調信号Ｄ１は、参照位相φｒｅｆおよび測定位相φｍｅａに基づく。復調部３５０は、復調信号Ｄ１から位相がずれている更なる復調信号Ｄ２を生成するように構成されていてもよい。例えば、更なる復調信号Ｄ２は、復調信号Ｄ１から−１２０°、−９０°、＋９０°、または＋１２０°だけ位相がずれている。復調部３５０は、復調信号Ｄ１および更なる復調信号Ｄ２から位相がずれている追加の復調信号を生成するように構成されていてもよい。例えば、復調部３５０は、３つの復調信号を生成してもよく、これらは互いに１２０°の位相差を有してもよい。復調部３５０は、復調信号Ｄ１を生成するために、ハニング窓などの窓を使用してもよい。
【００３８】
処理システム２１０は、測定信号に復調信号Ｄ１を乗じることによってホモダイン信号Ｈ１を演算し、測定信号に更なる復調信号Ｄ２を乗じることによってホモダイン信号Ｈ２を演算する演算部３６０を備えてもよい。復調信号Ｄ１と更なる復調信号Ｄ２は互いに位相がずれているので、２つのホモダイン信号Ｈ１、Ｈ２もまた互いに位相がずれている。たとえば、２つのホモダイン信号Ｈ１、Ｈ２は、互いに９０°位相がずれている。２つのホモダイン信号Ｈ１、Ｈ２は位相がずれているので、リサジュー曲線を決定することができる。理想的には、リサジュー曲線は完全な円である。しかしながら、周期誤差により、リサジュー曲線は楕円形状を有する。楕円形状は、干渉計システム２００の周期誤差の指標となる。
【００３９】
ある実施の形態においては、ヘテロダイン干渉計を使用する代わりに、ヘテロダインエンコーダシステムが処理システム２１０とともに使用されうる。
【００４０】
ある実施の形態においては、処理システム２１０は、参照位相φｒｅｆおよび測定周波数に基づいてヘテロダイン干渉計２０５の周期誤差を決定するように構成されていてもよい。周期誤差を決定するために、処理システム２１０は、測定信号の振幅についての情報を使用してもよい。
【００４１】
ある実施の形態においては、復調部３５０は、使用されない。こうした実施の形態においては、干渉計システム２００は、干渉計２０５および処理システム２１０を備える。干渉計２０５は、ヘテロダイン干渉計であってもよい。干渉計２０５は、参照信号および測定信号を提供するように構成されている。参照信号は、参照位相φｒｅｆを有する。測定信号は、測定位相φｍｅａおよび振幅ＡＣを有する。処理システム２１０は、参照位相φｒｅｆ、測定位相φｍｅａおよび振幅ＡＣに基づいてヘテロダイン干渉計２０５の周期誤差を決定するように構成されている。
【００４２】
こうした実施の形態においては、処理システム２１０は、測定信号から、ＡＣ値としても知られる振幅ＡＣ、および測定位相φｍｅａを決定するように構成されている。図３においては、位相生成部３３０は、振幅ＡＣを示す信号を提供するように構成されている。ある実施の形態においては、処理システム２１０は、振幅ＡＣを示す信号を提供するために位相生成部３３０とは別のユニットを有する。処理システム２１０は、どの周波数について振幅ＡＣおよび測定位相φｍｅａが決定されるべきかを決定するために、例えば測定周波数など、ターゲット２４０の速度についての情報を使用してもよい。処理システム２１０は、参照位相φｒｅｆ、測定位相φｍｅａおよび振幅ＡＣに基づいて、以下の等式を使用して、リサジュー曲線を決定するように構成されていてもよい。
【００４３】
Ｓ０＝ＡＣ・ｃｏｓ（φｍｅａ−φｒｅｆ）
【００４４】
Ｓ９０＝ＡＣ・ｓｉｎ（φｍｅａ−φｒｅｆ）
【００４５】
ここで、ＡＣは振幅であり、φｍｅａは測定位相であり、φｒｅｆは参照位相である。理想的には、Ｓ０、Ｓ９０は、リサジュー曲線において完全な円を記述する。周期誤差はリサジュー曲線を楕円にする原因となる。周期誤差は、振幅ＡＣを補正することによって、または測定位相φｍｅａを補正することによって、または測定位相φｍｅａと参照位相φｒｅｆの差を補正することによって、補正されうる。たとえば、ハイデマン補正が使用されてもよい。補正後に、リサジュー曲線は、楕円ではなく、円となりうる。
【００４６】
処理システム２１０は、参照位相φｒｅｆ、測定位相φｍｅａおよび振幅ＡＣに基づいて、２つのホモダイン信号Ｈ１、Ｈ２を生成するように構成されていてもよい。処理システム２１０は、２つのホモダイン信号Ｈ１、Ｈ２に基づいて周期誤差を決定するように構成されていてもよい。
【００４７】
干渉計システム２００は、第１距離信号および第２距離信号を提供するように構成されていてもよい。第１距離信号および第２距離信号の各々は、ターゲット２４０の距離を示すものである。第１距離信号は、第１波長をもつ放射ビームに基づく。第２距離信号は、第２波長をもつ放射ビームに基づく。図２の干渉計２０５は、第１の波長をもち周波数ｆ１＋ｄｆ１を有する放射ビームのみを示す。第２距離信号を生成するために、干渉計２０５は、周波数ｆ２＋ｄｆ２を有する更なる放射ビームを使用してもよい。周波数ｆ１、ｆ２は、ＴＨｚのオーダにあってもよく、数ＴＨｚ離れていてもよい。周波数ｄｆ１、ｄｆ２は、ＭＨｚのオーダにあってもよく、数ＭＨｚ離れていてもよい。たとえば、ｄｆ１、ｄｆ２はそれぞれ、１２ＭＨｚ、１５ＭＨｚである。
【００４８】
第１波長と第２波長は互いに異なっている。第１波長をもつ放射ビームと第２波長をもつ更なる放射ビームは、実質的に同じ光路に沿って進んでもよい。処理システム２１０は、第１距離信号によって示される距離と第２距離信号によって示される距離の差を決定するように構成されていてもよい。
【００４９】
理想的には、第１距離信号と第２距離信号が上記の距離を完全に示す場合には、差は存在しない。しかしながら、干渉計システム２００の周期誤差により、典型的には、差が存在する。処理システム２１０はさらに、差に基づいて、第１距離信号および第２距離信号のうち少なくとも一方を補正するように構成されていてもよい。
【００５０】
処理システム２１０は、ある期間において第１距離信号の１セットの第１サンプルおよび第２距離信号の１セットの第２サンプルを収集するように構成されていてもよい。処理システム２１０は、当該１セットの第１サンプルおよび当該１セットの第２サンプル信号に基づいて差を決定するように構成されていてもよい。処理システム２１０は、第１距離信号と第２距離信号の結合に基づいて合成波長を生成するように構成されていてもよい。当該１セットの第１サンプルおよび当該１セットの第２サンプルは、距離変化を示す。距離変化は、少なくとも合成波長の長さを有しうる。周期誤差を決定する精度は、距離変化が合成波長の実質的な一部分（例えば、合成波長の１倍または２倍の０．３倍、または０．５倍、または０．７倍）である場合に、改善される。
【００５１】
上記１セットの第１サンプルおよび上記１セットの第２サンプルは、ターゲット２４０の第１位置から第２位置への動きを示す。第１位置と第２位置の間の距離を少なくとも合成波長の長さに選択する場合、周期誤差をより精確に決定することができる。
【００５２】
動きの範囲に基づいて、合成波長が選択されてもよい。例えば、動きの範囲は、合成波長と同じ長さを有し、または合成波長より長い長さを有する。合成波長は、第１波長および第２波長について適切な値を選択することによって、選択されてもよい。合成波長は、第１波長と第２波長の差に依存する。小さい差を選ぶことによって、合成波長は大きくなる。大きい差を選ぶことによって、合成波長は小さくなる。
【００５３】
周期誤差は、以下の等式を使用することによって決定されてもよい。
【００５４】
（Ｌ１−Ｌ２）＝cyclic_error1(ph1)−cyclic_error2(ph2)...＋offset
【００５５】
Ｌ１は第１距離信号によって示される距離を示す。Ｌ２は第２距離信号によって示される距離を示す。Ｌ１、Ｌ２は、放射ビームのビーム長さを使用することによって、または放射ビームと更なる放射ビームの位相接続された(unwrapped)位相情報を使用することによって、決定されてもよい。cyclic_error1(ph1)はある位相での放射ビームの周期誤差を示す。cyclic_error2(ph2)はある別の位相での更なる放射ビームの周期誤差を示す。Ｌ１−Ｌ２の等式をターゲット２４０の複数の位置で解くことによって、周期誤差が決定されてもよい。精度を向上するために、複数の位置は、５またはそれより多数の位置であってもよい。Ｌ１−Ｌ２の等式は、第１高調波、第２高調波など高調波の振幅および位相を含むように拡張されてもよい。
【００５６】
上述の実施の形態においては、干渉計システム２００は、ターゲット２１０の位置を測定方向に沿って決定する光学測定システムとして記述されている。しかしながら、ターゲット２４０は、１より多い自由度で移動することができる物体に接続されていてもよい。一例を図４に示す。
【００５７】
図４は、干渉計システム２００の一部分のみを示す。干渉計２０５は、放射ビームの一部をターゲット２４０上へと伝搬させる。ターゲット２４０は、物体４００に接続されている。干渉計２０５の測定方向は、ｘ軸に沿う。しかしながら、物体４００は、ｘ軸とｚ軸の両方に沿って移動することができる。例えばターゲット２４０の表面が不完全であることにより、放射ビームは物体４００のｚ位置に依存して異なって干渉計２０５へと反射して戻りうる。例えば、放射ビームの強度または角度が異なりうる。放射ビームにおける差異は、干渉計システム２００の周期誤差を異ならせる原因となる。よって、周期誤差はターゲット２４０のｚ位置に依存しうる。
【００５８】
ｚ依存の周期誤差を補正するために、干渉計システム２００は、以下の方法を実行するように構成されていてもよい。第１に、ターゲット２４０の第１位置が測定方向に沿って測定される。ターゲット２４０が第１位置にあるときに、例えば上述の実施の形態により、または周期誤差を決定する既知の方法を使用して、第１周期誤差が決定される。次に、ターゲット２４０は、第２位置に移動される。第２位置は、測定方向以外の方向において第１位置から距離を有する。図４の例においては、第２位置は、第１位置とは異なるｚ位置にある。加えて、第２位置は、第１位置とは異なるｘ位置にあってもよい。ターゲット２４０の位置は、第２位置で測定される。ターゲットが第２位置にあるときに、例えば上述の実施の形態により、または周期誤差を決定する既知の方法を使用して、第２周期誤差が決定される。第１周期誤差に基づく第１補正値が保存される。第２周期誤差に基づく第２補正値が保存される。
【００５９】
第１補正値および第２補正値を保存した後、干渉計システム２００は、物体４００の位置を正確に測定するために使用されてもよい。ターゲットが第１位置またはその近傍にあるように物体４００が移動されるとき、干渉計システム２００の測定値が第１補正値により補正される。ターゲット２４０が第２位置またはその近傍にあるように物体４００が移動されるとき、干渉計システム２００の測定値が第２補正値により補正される。
【００６０】
第１位置と第２位置の間の位置において、第１補正値の一部と第２補正値の一部が使用されてもよい。例えば内挿により、第１位置および第２位置から離れた補正値を決定するモデルが使用されてもよい。
【００６１】
上述の方法は、ターゲット２４０の２より多いｚ位置での周期誤差を決定するために多数のｚ位置について実行されてもよい。これに代えてまたはこれとともに、物体４００は、ｙ方向に移動されてもよい。異なるｙ方向で周期誤差が決定され、対応する補正値が保存されてもよい。
【００６２】
それとともにまたはそれに代えて、第１周期誤差が、ターゲット２４０が第１位置にありかつ第１角度姿勢にあるときに決定される。更なる第１周期誤差が、ターゲット２４０が第１位置にありかつ第２角度姿勢にあるときに決定される。第２角度姿勢は、第１角度姿勢と異なる。更なる周期誤差に基づく更なる第１補正値が、保存される。
【００６３】
第１補正値および更なる第１補正値を保存した後、干渉計システム２００は、物体４００の角度姿勢を正確に測定するために使用されてもよい。ターゲット２４０が第１位置またはその近傍にあり第１角度姿勢にあるように物体４００が移動されるとき、干渉計システム２００の測定値が第１補正値により補正される。ターゲット２４０が第１位置またはその近傍にあり第２角度姿勢にあるように物体４００が移動されるとき、干渉計システム２００の測定値が更なる第１補正値により補正される。
【００６４】
ターゲット２４０の角度姿勢の変化は、例えば、放射ビームが反射される角度を変化させうる。角度の変化は周期誤差の原因となりうる。そこで、更なる第１補正値を保存することによって、周期誤差がターゲット２４０の異なる角度姿勢について補正されてもよい。
【００６５】
ある実施の形態においては、物体４００は、６自由度で移動可能である。補正値は、ｘ位置、ｙ位置、ｚ位置、Ｒｘ回転、Ｒｙ回転、Ｒｚ回転の組み合わせについて保存されてもよい。補正値を保存するためにルックアップテーブルが使用されてもよい。限られた数の保存された補正値に基づいて、ありうるすべての位置および回転についての補正値を予測するモデルが使用されてもよい。
【００６６】
干渉計に代えて、その他の任意の光学測定システムが、上述の方法を実行するように構成されていてもよい。例えば、光学測定システムは、エンコーダシステム、例えばヘテロダインエンコーダまたはホモダインエンコーダである。本方法は、ホモダインエンコーダまたはヘテロダインエンコーダに適用されてもよい。
【００６７】
ある実施の形態においては、ターゲット２４０は、基板テーブルＷＴまたは支持構造ＭＴの一方に接続されている。ターゲット２４０は、投影システムＰＳの光学構成部品に接続されてもよい。光学構成部品は、ミラーまたはレンズを備えてもよい。光学構成部品は、目標部分Ｃが露光されている間、所望の軌道をたどるように構成されていてもよい。
【００６８】
処理システム２１０は、上述のものとは異なって実装されてもよい。例えば、処理システム２１０のいくつかの部分が、ひとつのユニットとして実装されてもよく、または、いくつかのユニットに分割されてもよい。処理システム２１０は、完全にデジタルの処理システム２１０であってもよく、または、デジタルとアナログの処理システム２１０の組み合わせであってもよい。検出器ユニット２６０ａ、２６０ｂは、処理システム２１０の一部であってもよい。
【００６９】
本明細書ではＩＣの製造におけるリソグラフィ装置の使用に具体的に言及しているかもしれないが、本書に説明されたリソグラフィ装置は、集積光学システム、磁区メモリ用案内パターンおよび検出パターン、フラットパネルディスプレイ、液晶ディスプレイ（ＬＣＤ）、薄膜磁気ヘッド等の製造など他の用途にも適用することが可能であるものと理解されたい。当業者であればこれらの他の適用に際して、本書における「ウェーハ」あるいは「ダイ」という用語がそれぞれ「基板」あるいは「目標部分」という、より一般的な用語と同義であるとみなされると理解することができるであろう。本書に言及される基板は、露光前または露光後において例えばトラック（典型的にはレジスト層を基板Ｗに塗布し、露光後のレジストを現像する装置）、メトロロジツール、及び／またはインスペクションツールにより処理されてもよい。また、基板Ｗは例えば多層ＩＣを製造するために複数回処理されてもよく、その場合には本書に使用される基板Ｗという用語は処理済みの多数の層を既に含む基板Ｗをも意味しうる。
【００７０】
以上では本発明の特定の実施形態を説明したが、本発明は、説明したものとは異なる方式で実施されうることが理解される。
上述の説明は例示であり、限定を意図しない。よって、後述の特許請求の範囲から逸脱することなく既述の本発明に変更を加えることができるということは、関連技術の当業者には明らかなことである。
【図１】
2019527357.tif 000003
【図２】
2019527357.tif 000004
【図３】
2019527357.tif 000005
【図４】
2019527357.tif 000006
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
光学測定システムの校正のための方法であって、
−  測定方向に沿ってターゲットの第１位置または第１角度姿勢を測定するステップと、
−  前記ターゲットが前記第１位置にありまたは前記第１角度姿勢にあるときに前記光学測定システムの第１周期誤差を決定するステップと、
−  前記測定方向に沿って前記ターゲットの第２位置または第２角度姿勢を測定するステップと、
−  前記ターゲットが前記第２位置にありまたは前記第２角度姿勢にあるときに前記光学測定システムの第２周期誤差を決定するステップと、を備え、前記第２位置は、前記測定方向以外の方向において前記第１位置から距離を有しており、
−  前記第１周期誤差に基づいて第１補正値を保存するステップと、
−  前記第２周期誤差に基づいて第２補正値を保存するステップと、を備える方法。
【請求項２】
−  前記ターゲットが前記第１位置またはその近傍にあるとき前記第１補正値により前記光学測定システムの測定値を補正し、
−  前記ターゲットが前記第２位置またはその近傍にあるとき前記第２補正値により前記光学測定システムの更なる測定値を補正することを備える請求項１に記載の方法。
【請求項３】
前記ターゲットが前記第１位置と前記第２位置の間にあるとき前記第１補正値の一部と前記第２補正値の一部により前記光学測定システムの測定値を補正することを備える請求項１または２に記載の方法。
【請求項４】
前記ターゲットが前記第１角度姿勢にあるとき前記第１補正値により前記光学測定システムの測定値を補正することを備える請求項１から３のいずれかに記載の方法。
【請求項５】
前記ターゲットが前記第２角度姿勢にあるとき前記第２補正値により前記光学測定システムの測定値を補正することを備える請求項１から４のいずれかに記載の方法。
【請求項６】
前記ターゲットのｘ位置、ｙ位置、ｚ位置、Ｒｘ回転、Ｒｙ回転、Ｒｚ回転の組み合わせについて補正値を保存することを備える請求項１から５のいずれかに記載の方法。
【請求項７】
前記補正値をルックアップテーブルに保存することを備える請求項６に記載の方法。
【請求項８】
請求項１から７のいずれかに記載の方法を実行するように構成されている光学測定システム。
【請求項９】
前記光学測定システムは、干渉計を備える請求項８に記載の光学測定システム。
【請求項１０】
処理システムを備え、前記干渉計は、参照信号および測定信号を提供するように構成されているヘテロダイン干渉計であり、
前記参照信号は、参照位相を有し、
前記測定信号は、測定位相および振幅を有し、
前記処理システムは、前記第１周期誤差および前記第２周期誤差を決定するように構成されている請求項９に記載の光学測定システム。
【請求項１１】
処理システムを備え、
前記干渉計は、前記ターゲットへの距離を示す第１距離信号を提供するように構成され、
前記干渉計は、前記ターゲットへの前記距離を示す第２距離信号を提供するように構成され、
前記第１距離信号は、第１波長をもつ放射ビームに基づき、
前記第２距離信号は、第２波長をもつ放射ビームに基づき、
前記第１波長は、前記第２波長と異なり、
前記処理システムは、前記第１距離信号により示される距離と前記第２距離信号により示される距離との差を決定するように構成され、
前記処理システムは、前記差に基づいて前記第１周期誤差および前記第２周期誤差を決定するように構成されている請求項９に記載の光学測定システム。
【請求項１２】
前記光学測定システムは、エンコーダシステムを備える請求項８に記載の光学測定システム。
【請求項１３】
請求項８から１２のいずれかに記載の光学測定システムを備えるリソグラフィ装置。
【請求項１４】
投影システムと、基板テーブルと、を備え、前記投影システムは、基板にパターンを投影するように構成され、
前記基板テーブルは、前記基板を保持するように構成され、
前記ターゲットは、前記基板テーブルと前記投影システムの光学構成部品とのうち一方に接続されている請求項１３に記載のリソグラフィ装置。
【請求項１５】
請求項１から７のいずれかに記載の方法を実行するように構成されている処理システム。
【手続補正２】
【補正対象書類名】明細書
【補正対象項目名】０００９
【補正方法】変更
【補正の内容】
【０００９】
本発明の第１の態様においては、ヘテロダイン干渉計と、処理システムと、を備え、前記ヘテロダイン干渉計は、参照信号および測定信号を提供するように構成され、前記参照信号は、参照位相を有し、前記測定信号は、測定位相および振幅を有し、前記処理システムは、前記参照位相、前記測定位相、および前記振幅に基づいて前記ヘテロダイン干渉計の周期誤差を決定するように構成されている干渉計システムが提供される。
【手続補正３】
【補正対象書類名】明細書
【補正対象項目名】００１０
【補正方法】変更
【補正の内容】
【００１０】
本発明の第２の態様においては、干渉計と、処理システムと、を備え、前記干渉計は、ターゲットへの距離を示す第１距離信号を提供するように構成され、前記干渉計は、前記ターゲットへの前記距離を示す第２距離信号を提供するように構成され、前記第１距離信号は、第１波長をもつ放射ビームに基づき、前記第２距離信号は、第２波長をもつ放射ビームに基づき、前記第１波長は、前記第２波長と異なり、前記処理システムは、前記第１距離信号により示される距離と前記第２距離信号により示される距離との差を決定するように構成されている干渉計システムが提供される。
【手続補正４】
【補正対象書類名】明細書
【補正対象項目名】００１１
【補正方法】変更
【補正の内容】
【００１１】
本発明の第３の態様においては、光学測定システムの校正のための方法であって、
−  測定方向に沿ってターゲットの第１位置を測定するステップと、
−  前記ターゲットが前記第１位置にあるときに前記光学測定システムの第１周期誤差を決定するステップと、
−  前記測定方向に沿って前記ターゲットの第２位置を測定するステップと、
−  前記ターゲットが前記第２位置にあるときに前記光学測定システムの第２周期誤差を決定するステップと、を備え、前記第２位置は、前記測定方向以外の方向において前記第１位置から距離を有しており、
−  前記第１周期誤差に基づいて第１補正値を保存するステップと、
−  前記第２周期誤差に基づいて第２補正値を保存するステップと、を備える方法が提供される。
本発明のいくつかの実施の形態が付属の概略的な図面を参照して以下に説明されるがこれらは例示に過ぎない。各図面において対応する参照符号は対応する部分を指し示す。
【手続補正５】
【補正対象書類名】明細書
【補正対象項目名】００５６
【補正方法】変更
【補正の内容】
【００５６】
上述の実施の形態においては、干渉計システム２００は、ターゲット２４０の位置を測定方向に沿って決定する光学測定システムとして記述されている。しかしながら、ターゲット２４０は、１より多い自由度で移動することができる物体に接続されていてもよい。一例を図４に示す。
【手続補正６】
【補正対象書類名】明細書
【補正対象項目名】００７０
【補正方法】変更
【補正の内容】
【００７０】
以上では本発明の特定の実施形態を説明したが、本発明は、説明したものとは異なる方式で実施されうることが理解される。
上述の説明は例示であり、限定を意図しない。よって、後述の特許請求の範囲から逸脱することなく既述の本発明に変更を加えることができるということは、関連技術の当業者には明らかなことである。
下記の番号付けられた節によっても実施の形態が与えられる。
１．ヘテロダイン干渉計と、
処理システムと、を備え、
前記ヘテロダイン干渉計は、参照信号および測定信号を提供するように構成され、
前記参照信号は、参照位相を有し、
前記測定信号は、測定位相および振幅を有し、
前記処理システムは、前記参照位相、前記測定位相、および前記振幅に基づいて前記ヘテロダイン干渉計の周期誤差を決定するように構成されている干渉計システム。
２．前記処理システムは、前記参照位相、前記測定位相、および前記振幅に基づいて２つのホモダイン信号を生成するように構成され、前記処理システムは、前記２つのホモダイン信号に基づいて前記周期誤差を決定するように構成されている項１に記載の干渉計システム。
３．前記処理システムは、復調信号および更なる復調信号を前記参照位相に基づいて生成するように構成され、前記更なる復調信号は、前記復調信号とは位相がずれており、前記処理システムは、前記２つのホモダイン信号の一方を前記復調信号に基づいて生成し、前記２つのホモダイン信号の他方を前記更なる復調信号に基づいて生成するように構成されている項２に記載の干渉計システム。
４．前記処理システムは、前記測定信号に前記復調信号を乗じることによって前記２つのホモダイン信号の一方を生成し、前記測定信号に前記更なる復調信号を乗じることによって前記２つのホモダイン信号の他方を生成するように構成されている項３に記載の干渉計システム。
５．前記処理システムは、ある期間において前記測定信号の１セットの測定サンプルおよび前記参照信号の１セットの参照サンプルを収集するように構成され、
前記処理システムは、前記１セットの測定サンプルおよび前記１セットの参照サンプルに基づいて前記周期誤差を決定するように構成されている項１から３のいずれかに記載の干渉計システム。
６．干渉計と、
処理システムと、を備え、
前記干渉計は、ターゲットへの距離を示す第１距離信号を提供するように構成され、
前記干渉計は、前記ターゲットへの前記距離を示す第２距離信号を提供するように構成され、
前記第１距離信号は、第１波長をもつ放射ビームに基づき、
前記第２距離信号は、第２波長をもつ放射ビームに基づき、
前記第１波長は、前記第２波長と異なり、
前記処理システムは、前記第１距離信号により示される距離と前記第２距離信号により示される距離との差を決定するように構成されている干渉計システム。
７．前記処理システムは、前記差に基づいて前記干渉計の周期誤差を決定するように構成されている項６に記載の干渉計システム。
８．前記処理システムは、前記差に基づいて第１距離信号と前記第２距離信号の少なくとも１つを補正するように構成されている項６または７に記載の干渉計システム。
９．前記処理システムは、ある期間において第１距離信号の１セットの第１サンプルおよび前記第２距離信号の１セットの第２サンプルを収集するように構成され、
前記処理システムは、前記１セットの第１サンプルおよび前記１セットの第２サンプルに基づいて前記差を決定するように構成されている項６から８のいずれかに記載の干渉計システム。
１０．前記処理システムは、前記第１距離信号と前記第２距離信号の結合に基づいて合成波長を生成するように構成され、前記１セットの第１サンプルおよび前記１セットの第２サンプルは、距離変化を示し、前記距離変化は、少なくとも前記合成波長の長さを有する項９に記載の干渉計システム。
１１．項１から１０のいずれかに記載の干渉計システムに使用される処理システム。
１２．光学測定システムの校正のための方法であって、
−  測定方向に沿ってターゲットの第１位置を測定するステップと、
−  前記ターゲットが前記第１位置にあるときに前記光学測定システムの第１周期誤差を決定するステップと、
−  前記測定方向に沿って前記ターゲットの第２位置を測定するステップと、
−  前記ターゲットが前記第２位置にあるときに前記光学測定システムの第２周期誤差を決定するステップと、を備え、前記第２位置は、前記測定方向以外の方向において前記第１位置から距離を有しており、
−  前記第１周期誤差に基づいて第１補正値を保存するステップと、
−  前記第２周期誤差に基づいて第２補正値を保存するステップと、を備える方法。
１３．−  前記ターゲットが前記第１位置またはその近傍にあるとき前記第１補正値により前記光学測定システムの測定値を補正し、
−  前記ターゲットが前記第２位置またはその近傍にあるとき前記第２補正値により前記光学測定システムの更なる測定値を補正することを備える項１２に記載の方法。
１４．−  前記ターゲットが前記第１位置にありかつ前記ターゲットが第１角度姿勢にあるときに前記光学測定システムの前記第１周期誤差を決定し、
−  前記ターゲットが前記第１位置にありかつ前記ターゲットが前記第１角度姿勢とは異なる第２角度姿勢にあるときに前記光学測定システムの更なる第１周期誤差を決定し、
−  前記更なる第１周期誤差に基づいて更なる第１補正値を保存し、
−  前記ターゲットが前記第１位置またはその近傍にあり前記第１角度姿勢を有するとき前記第１補正値により前記光学測定システムの測定値を補正し、
−  前記ターゲットが前記第１位置またはその近傍にあり前記第２角度姿勢を有するとき前記更なる第１補正値により前記光学測定システムの測定値を補正することを備える項１２または１３に記載の方法。
１５．項１２から１４のいずれかに記載の方法を実行するように構成されている処理システム。
【国際調査報告】
2019527357.tif 000007
2019527357.tif 000008
2019527357.tif 000009
2019527357.tif 000010